(57)【要約】      （修正有）【課題】振動を測定し回転機械の状態を診断する設備診断技術を体験的に学習する回転機シミュレータを提供する。【解決手段】異常振動が伝わるベース２１の一部にダンパ１０を設けることによって異常振動を伝えにくくし、又、振動を減衰させる効果のある素材である熱可塑性エラストマーを、軸受ブロックをベースに取り付ける締結用ボルト部１１の周囲に設ける。【選択図】図１
0003222116.tif 000002
【実用新案登録請求の範囲】
【請求項１】
振動を測定し回転機械の状態を診断する回転機シミュレータにおいて、フライホイールを支持する軸受ブロックをベースに取り付ける締結ボルト部の周囲に、ダンパを設けたことを特徴とする回転機シミュレータ。
【請求項２】
前記ダンパは、熱可塑性エラストマーからなる請求項１に記載の回転機シミュレータ。
【考案の詳細な説明】
【技術分野】
【０００１】  振動を測定し回転機械の状態を診断する設備診断技術を体験的に学習する回転機シミュレータに関する。
【背景技術】
【０００２】  回転機械の設備診断技術には、振動を測定しこの測定値（実効値、ピーク値、周波数）により故障原因を診断する方法があり、この設備診断技術を習得するのに、実機（製鉄所、工場にあるロータ、ポンプ、送風機等）で体験（立ち会う）ことは長時間を要した。それに対応して設備診断技術を体験的に学習する回転機シミュレータが使われている。
【先行技術文献】
【特許文献】
【０００３】
【特許文献１】特開平１０−１０９６０号公報
【考案の概要】
【考案が解決しようとする課題】
【０００４】  転がり軸受（軸受）の異常（例えばフレーキング傷）により軸受ブロックに発生する異常振動が、ベースから伝わり、他の軸受ブロックにも異常振動が発生し、どの軸受ブロックにある軸受が異常なのか判別出来ない課題があった。
【課題を解決するための手段】
【０００５】  （１）振動を測定し回転機械の状態を診断する設備診断技術を体験的に学習する回転機シミュレータにおいて、フライホイールを支持する軸受ブロックをベースに取り付ける締結ボルト部の周囲に、ダンパを設けたことを特徴とする振動診断学習用回転機シミュレータ。【０００６】  （２）前記ダンパが、熱可塑性エラストマーである前記記載の回転機シミュレータ。
【考案の効果】
【０００７】  本考案によれば、軸受の異常により発生する異常振動を正常な他の軸受に伝達されることを抑制する振動学習用回転機シミュレータを提供できる。
【図面の簡単な説明】
【０００８】
【図１】本考案の一実施形態の側面図である。
【図２】本考案の一実施形態の上面図である。
【図３】従来の振動診断学習用回転機シミュレータの側面図である。
【図４】両持ち遠心ポンプの側面図である。
【図５】図１におけるＡ−Ａ断面図である。
【図６】図３におけるＢ−Ｂ断面図である。
【考案を実施するための形態】
【０００９】  本実施例のダンパを用いた振動診断学習用回転機シミュレータについて図面を参照して説明する。
【００１０】  図４は、製鉄所、工場にある実機の一つである吸い込み口５４、吐出口５５を持ち回転軸３５に固定された羽根車４４を両端の第１〜２軸受ブロック３６、３８で支持し、カップリング３１でＡＣモータ２０に接続した両持ち遠心ポンプである。
【００１１】  図１〜３は、羽根車４４をフライホイール３７に置き換えて前記両持ち遠心ポンプを模擬した振動診断学習用回転機シミュレータである。
【００１２】  図１〜３と図４において相当する部分は、同じ符号を付す。
【００１３】  図１〜３の振動診断学習用回転機シミュレータは、回転速度計２４を見て回転速度調整レバー２５により回転数を可変出来るモータドライバ２３と、把手２２を備えたベース２１により構成されている。
【００１４】  図１〜２と図３の違いは、第１〜２軸受ブロック３６、３８をベース２１に締結するための締結用ボルト１１の周囲に振動を減衰させるダンパ１０の有無である。
【００１５】  図５〜６は、前記の違いである締結用ボルト１１の座面及びおねじ４０とベース２１の間、更にベース２１と第１〜２軸受ブロック３６、３８の間である締結用ボルト１１の周囲に振動を減衰させるダンパ１０の有無の詳細を示した第１〜２軸受ブロック３６、３８のＡ−Ａ及びＢ−Ｂ断面図である。
【００１６】  更に、図５〜６は振動診断学習用の正常と異常（例えばフレーキング傷）な転がり軸受３９が交換可能な第１〜２軸受ブロック３６、３８である。
【００１７】  図３の従来の振動診断学習用回転機シミュレータ３では、異常な転がり軸受３９を第２軸受ブロック３８に交換し、ＡＣモータ２０により回転させると第２軸受ブロック３８に振動発生することはもちろんであるが、その振動がベース２１を伝わって第１軸受ブロック３６に振動が伝わり、全ての軸受ブロック３６、３８で振動発生し、異常な転がり軸受３９から発生している振動が、どの軸受ブロック３６、３８に設けてあるのかを振動センサ６０、６１で測定しても判別出来ない課題があった。
【００１８】  更に、前記特許文献１に記載の学習装置においては、他の軸受ブロックへ異常振動が伝わることを防ぐために中間材を板ばね（弾性体）で構成することで学習装置が大型化、複雑化する課題があった。
【００１９】  上記課題を解決するために、図１〜図２の第１〜２軸受ブロック３６、３８をベース２１に締結する締結ボルト１１の座面及びおねじ４０とベース２１の間、更にベース２１と第１〜２軸受ブロック３６、３８の間である締結用ボルト１１の周囲に振動を減衰させるダンパ１０を設けた。
【００２０】  ダンパ素子に熱可塑性エラストマーを使ったのは、下表１にある損失係数（η）が１に近い材料であるためで、熱可塑性エラストマーの代表的な材料がエーテル系ポリウレタンであるが、エーテル系ポリウレタンに限定したものではないが、コスト的に望ましい。
【００２１】ダンパとは、日本工業規格（ＪＩＳＢ０１５３、機械振動・衝撃用語）に規定され、振動の大きさを減らすために使われる装置であることを意味する。
【００２２】
【表１】
0003222116.tif 000003
【００２３】  表１は、各種材料の損失係数（η）を示し、損失係数は、日本工業規格（ＪＩＳＨ７００２、制振材料用語）に規定され、値が１に近いほどに、衝撃、振動を減衰させることを意味する。
【００２４】  エーテル系ポリウレタンは、日本工業規格（ＪＩＳＫ６４１８、熱可塑性エラストマー−用語及び略号）に規定された分類であるＴＰＵの一種である。
【符号の説明】
【００２５】  １、２  ダンパを用いた振動診断学習用回転機シミュレータ
３  従来の振動診断学習用回転機シミュレータ
４  両持ち遠心ポンプ
１０  ダンパ
１１  締結用ボルト
２０  ＡＣモータ
２１  ベース
２２  把手
２３  モータドライバ
２４  回転速度計
２５  回転速度調整レバー
３１  カップリング
３５  回転軸
３６  第１軸受ブロック
３７  フライホイール
３８  第２軸受ブロック
３９  転がり軸受
４０  ボルト用おねじ
５３  両持ち遠心ポンプ
５４  吸い込み口
５５  吐出口
６０、６１  振動センサ
【図１】
0003222116.tif 000004
【図２】
0003222116.tif 000005
【図３】
0003222116.tif 000006
【図４】
0003222116.tif 000007
【図５】
0003222116.tif 000008
【図６】
0003222116.tif 000009